(57)【要約】【課題】本発明は、室温に応じて天井扇風機の速調を変化させる場合の使用感を向上することを目的とするものである。【解決手段】そしてこの目的を達成するために本発明は、天井１に固定された連結部２と、この連結部２の下部に電動機３を設け、この電動機３のローター４に水平方向に複数の羽根５を備え、前記電動機３の下部に第１の回路基板部６を設け、この第１の回路基板部６の下部に第２の回路基板部７を備え、前記第１の回路基板部６および前記第２の回路基板部７を覆うように前記電動機３と所定の距離１３を有して本体カバー１２を設け、前記第１の回路基板部６には発熱部品部８を備え、前記第２の回路基板部７の下面に温度検知部９を設け、この温度検知部９と室内とが連通するように前記本体カバー１２には吸込口１６を設けたものである。【選択図】図２
2010169001.tif 000002
【特許請求の範囲】
【請求項１】
天井に固定された連結部と、この連結部の下部に電動機を設け、この電動機のローターに水平方向に複数の羽根を備え、前記電動機の下部に第１の回路基板部を設け、この第１の回路基板部の下部に第２の回路基板部を備え、前記第１の回路基板部および前記第２の回路基板部を覆うように前記電動機と所定の距離を有して本体カバーを設け、前記第１の回路基板部には発熱部品部を備え、前記第２の回路基板部の下面に温度検知部を設け、この温度検知部と室内とが連通するように前記本体カバーには吸込口を設けた天井扇風機。
【請求項２】
本体カバーの上部外周部は、前記羽根のひねり部より内側に位置した請求項１に記載の天井扇風機。
【請求項３】
本体カバーの前記吸込口は、前記本体カバーの傾斜面部または球面部に位置する請求項１または２のいずれかに記載の天井扇風機。
【請求項４】
本体カバーの前記吸込口は、前記第２の回路基板部の前記温度検知部に対して水平方向に対向した位置に設けた請求項１〜３のいずれかに記載の天井扇風機。
【請求項５】
本体カバー内には前記吸込口の下端部とほぼ同じ高さから下方向に傾斜した傾斜部を備えた請求項１〜４のいずれかに記載の天井扇風機。
【請求項６】
温度検知部の真上部分の前記第２の回路基板部に孔を備えた請求項１〜５のいずれかに記載の天井扇風機。
【請求項７】
第２の回路基板部の前記孔は、略横長四角形状で長手方向が前記本体カバー外周から中心に向かう方向と同じである請求項６に記載の天井扇風機。
【請求項８】
温度検知部は前記第２の回路基板部と所定の距離を有した請求項１〜７のいずれかに記載の天井扇風機。
【請求項９】
本体カバー内には、前記第２の回路基板部の前記温度検知部を囲むように、前記本体カバーの前記吸込口側が開口した壁部を設けた請求項１〜８のいずれかに記載の天井扇風機。
【請求項１０】
壁部は、前記第２の回路基板部の前記温度検知部を囲むように、前記本体カバーの前記吸込口側が開口した横断面形状がＵ字形状である請求項９に記載の天井扇風機。
【請求項１１】
壁部の横断面形状がＵ字形状である壁部の対向した側壁部には、切り欠き部を設けた請求項１０に記載の天井扇風機。
【発明の詳細な説明】
【技術分野】
【０００１】
本発明は、天井から吊下げられた天井扇風機に関する。
【背景技術】
【０００２】
従来、この種の天井扇風機の構成は、以下のようになっていた。
【０００３】
すなわち、温風または冷風を吹出す吹出口を設けた部屋に天井扇を設け、部屋の上部と下部に温度センサーを設け、これら両温度センサの検出温度差によって天井扇を動作させる制御装置を設けた構成となっていた。
【０００４】
例えば、これに類似する先行文献は下記特許文献１に記載されている。
【特許文献１】特開平１−２０８６３４号公報
【発明の開示】
【発明が解決しようとする課題】
【０００５】
上記従来例における課題は、室温に応じて天井扇風機の速調を変化させる場合に、使用感が悪いということであった。
【０００６】
すなわち、天井扇風機を天井に設置し、室内の壁面に温度センサーを設置することにより、この温度センサーにより室内の温度を検知し、検知温度に応じて天井扇風機の速調を変化させるものであった。
【０００７】
しかし、温度センサーの設置場所によっては、天井扇風機を運転することにより発生する気流が届き難く、温度センサー近傍に空気溜まりができてしまい、室温に応じて速調を変化させる時に、室温の変化に速調の変化が追随しない為、使用感が悪いということであった。
【０００８】
そこで本発明は、室温に応じて天井扇風機の速調を変化させる場合の使用感を向上させることを目的とするものである。
【課題を解決するための手段】
【０００９】
そしてこの目的を達成するために本発明は、天井に固定された連結部と、この連結部の下部に電動機を設け、この電動機のローターに水平方向に複数の羽根を備え、前記電動機の下部に第１の回路基板部を設け、この第１の回路基板部の下部に第２の回路基板部を備え、前記第１の回路基板部および前記第２の回路基板部を覆うように前記電動機と所定の距離を有して本体カバーを設け、前記第１の回路基板部には発熱部品部を備え、前記第２の回路基板部の下面に温度検知部を設け、この温度検知部と室内とが連通するように前記本体カバーには吸込口を設け、これにより初期の目的を達成するものである。
【発明の効果】
【００１０】
以上のように本発明は、天井に固定された連結部と、この連結部の下部に電動機を設け、この電動機のローターに水平方向に複数の羽根を備え、前記電動機の下部に第１の回路基板部を設け、この第１の回路基板部の下部に第２の回路基板部を備え、前記第１の回路基板部および前記第２の回路基板部を覆うように前記電動機と所定の距離を有して本体カバーを設け、前記第１の回路基板部には発熱部品部を備え、前記第２の回路基板部の下面に温度検知部を設け、この温度検知部と室内とが連通するように前記本体カバーには吸込口を設けたものである。
【００１１】
すなわち、天井扇風機を運転すると、温度検知部を備えた第２の回路基板部の上部に位置する第１の回路基板部の発熱部品部および電動機が発熱し、この発熱により本体カバー内の空気が暖められ、上昇気流が発生する。この上昇気流により、本体カバーの吸込口から室内の空気を吸込みながら、本体カバー内の空気を本体カバーの上縁部より室内に放出する空気の流れが発生するものである。
【００１２】
そこで、この本体カバーの吸込口から吸い込まれた室内の空気の温度を、温度検知部で温度を検知し、天井扇風機の速調を制御するものである。
【００１３】
これらの結果により、天井扇風機近傍の空気の温度を検知し、天井扇風機の速調を制御するので、室温に応じて天井扇風機の速調を変化させる場合の使用感を向上することが出来る。
【発明を実施するための最良の形態】
【００１４】
以下、本実施形態を添付図面を用いて説明する。
【００１５】
（実施の形態１）
図１、図２、図３および図４に示すように、本実施の形態の天井扇風機は、天井１に固定された連結部２と、この連結部２の下部に電動機３を設け、この電動機３のローター４に複数の羽根５を水平方向に備えている。
【００１６】
この電動機３の下部には、第１の回路基板部６を設け、この第１の回路基板部６の下部には第２の回路基板部７を備えている。
【００１７】
本実施形態において特徴は、第１の回路基板部６には発熱部品部８を備え、第２の回路基板部７の下面に温度検知部９を設け、この温度検知部９を室内とを連通する風路に設けた点にある。
【００１８】
具体的には、第１の回路基板部６および第２の回路基板部７を覆うように、下面が塞がれた円筒形状の回路基板カバー１０を設け、この回路基板カバー１０の側面には縦長四角形状の複数の排気口１１を備えている。更に、この回路基板カバー１０を覆うように、上部が開口した略半球面形状の本体カバー１２を設けている。この本体カバー１２の上部は電動機３と所定の距離である電動機本体カバー距離１３を有し、側面内面と回路基板カバー１０の排気口１１との間に空間１４を有している。ここで、温度検知部９と室内とが連通するように回路基板カバー１０には連通口１５を、本体カバー１２には吸込口１６を設けている。
【００１９】
すなわち、天井扇風機を運転すると、温度検知部９を備えた第２の回路基板部７の上部に位置する第１の回路基板部６の発熱部品部８および電動機３が発熱し、この発熱により回路基板カバー１０内の空気が暖められ、上昇気流が発生する。この上昇気流により、本体カバー１２の吸込口１６から室内の空気を回路基板カバー１０の連通口１５を介して、回路基板カバー１０内に吸込みながら、回路基板カバー１０内の空気を回路基板カバー１０の排気口１１を介して本体カバーの上縁部１７より室内に放出する空気の流れが発生するものである。
【００２０】
そこで、この本体カバー１２の吸込口１６から吸い込まれた室内の空気の温度を、温度検知部９で温度を検知し、天井扇風機の速調を制御するものである。
【００２１】
これらの結果により、天井扇風機近傍の空気の温度を検知し、天井扇風機の速調を制御するので、室温に応じて天井扇風機の速調を変化させる場合の使用感を向上することが出来る。
【００２２】
また、本体カバー１２の上部外周部１８は、羽根５のひねり部１９より内側に位置したものである。具体的には、上部が開口した略半球面形状の本体カバー１２の上部外周部１８は、電動機３と所定の距離である電動機本体カバー距離１３を有していると共に、電動機３のローター４に固定された複数の羽根５のひねり部１９より内側に位置したものである。これにより、羽根５が回転し、羽根５のひねり部１９より下方向に送風される空気は、本体カバー１２の外側をながれることになる。
【００２３】
すなわち、本体カバー１２の上部外周部１８と電動機３との所定の距離である電動機本体カバー距離１３を有している空間へ送風することなく、本体カバー１２の外側をながれることになり、つまり、本体カバー１２の吸込口１６から室内の空気を回路基板カバー１０の連通口１５を介して、回路基板カバー１０内に吸込みながら、回路基板カバー１０内の空気を回路基板カバー１０の排気口１１を介して本体カバー１２の上縁部１７より室内に放出する空気の流れを乱すことないので、温度検知部９での空気の流れを乱すことを抑制でき、室温に応じて天井扇風機の速調を変化させる場合の使用感を向上することが出来る。
【００２４】
また、本体カバー１２の吸込口１６は、本体カバー１２の傾斜面部または球面部２０に位置するものである。具体的には、本体カバー１２の吸込口１６は、上部が開口した略半球面形状の本体カバーの外周面の傾斜面部または球面部２０に位置し、略横長四角形状である。
【００２５】
すなわち、羽根５のひねり部１９より下方向に送風される空気は本体カバー１２の外側をながれ、この空気が本体カバー１２の外周面に沿って、本体カバー１２の吸込口１６より回路基板カバー１０内の温度検知部９へ流れるので、天井扇風機近傍の空気の温度を検知し、天井扇風機の速調を制御するので、室温に応じて天井扇風機の速調を変化させる場合の使用感を向上することが出来る。
【００２６】
また、図５に示すように、本体カバー１２の吸込口１６は、第２の回路基板部７の温度検知部９に対して水平方向に対向した位置に設けたものである。具体的には、本体カバー１２の吸込口１６と回路基板カバー１０の連通口１５がほぼ接触した状態に位置し、どちらもほぼ同じ略横長四角形状であり、これらの本体カバー１２の吸込口１６および回路基板カバー１０の連通口１５の近傍である水平方向に対向した位置に第２の回路基板部７の温度検知部９を設けている。
【００２７】
これにより、本体カバー１２の吸込口１６より吸い込まれた空気は、本体カバー１２の吸込口１６および、回路基板カバー１０の連通口１５を介して第２の回路基板部７の温度検知部９に流れ込むので、天井扇風機近傍の空気の温度を検知し、天井扇風機の速調を制御するので、室温に応じて天井扇風機の速調を変化させる場合の使用感を向上することが出来る。
【００２８】
また、本体カバー１２内には吸込口１６の下端部とほぼ同じ高さから下方向に傾斜した傾斜部２２を備えたものである。具体的には、本体カバー１２の吸込口１６と回路基板カバー１０の連通口１５がほぼ接触した状態に位置し、どちらもほぼ同じ略横長四角形状であり、本体カバー１２の吸込口１６および回路基板カバー１０の連通口１５の下端部がほぼ同じ高さに位置する。この下端部とほぼ同じ高さから下方向に傾斜した回路基板カバー１０の下面である傾斜部２２を備えている。
【００２９】
これにより、本体カバー１２の吸込口１６と回路基板カバー１０の連通口１５とを介し回路基板カバー１０内に流れ込んだ空気は、温度検知部９を備えた第２の回路基板部７と、回路基板カバー１０の下面である傾斜部２２とによって上下面を挟まれた空間を流れ、温度検知部９を通過する。つまり、温度検知部９を備えた第２の回路基板部７と、回路基板カバー１０の下面である傾斜部２２とによって上下面が上下の案内面となり、温度検知部９への空気の流れを円滑にすることができる。
【００３０】
また、図６に示すように、温度検知部９の真上部分の第２の回路基板部７に孔２３を備えたものである。具体的には、温度検知部９の真上部分の第２の回路基板部７に孔２３を備え、この孔２３により、第２の回路基板部７の下部と、第２の回路基板部７の上部である第１の回路基板部６の下部とを連通するものである。
【００３１】
これにより、本体カバー１２の吸込口１６と回路基板カバー１０の連通口１５とを介し回路基板カバー１０内に流れ込んだ空気は、温度検知部９を備えた第２の回路基板部７と、回路基板カバー１０の下面である傾斜部２２とによって上下面を挟まれた空間を流れ、温度検知部９を通過し、第２の回路基板部７に孔２３、または第２の回路基板部７の周囲より第１の回路基板部６の下部へ流れ、更に、第１の回路基板部６の周囲を流れ、回路基板カバー１０の排気口１１を介して本体カバー１２の上縁部１７より室内に放出する空気の流れが発生するものである。
【００３２】
つまり、温度検知部９の真上部分の第２の回路基板部７に孔２３を備えることにより、第２の回路基板部７の下部から第１の回路基板部６の下部へ流れをスムーズにすることができる。
【００３３】
また、第２の回路基板部７の孔２３は、略横長四角形状で長手方向が本体カバー１２外周から中心に向かう方向と同じであるものである。具体的には、第２の回路基板部７の孔２３は略横長四角形状であり、本体カバー１２外周から中心に向かう方向が略横長四角形状の長手方向である。この略横長四角形状の長手方向は、本体カバー１２の吸込口１６と回路基板カバー１０の連通口１５とを介し回路基板カバー１０内に流れ込む空気の流れ方向と同じである。略横長四角形状の短手方向の寸法は温度検知部９である温度センサーの長さ寸法とほぼ同じである。
【００３４】
これにより、本体カバー１２の吸込口１６と回路基板カバー１０の連通口１５とを介し回路基板カバー１０内に流れ込んだ空気は、温度検知部９を備えた第２の回路基板部７と、回路基板カバー１０の下面である傾斜部２２とによって上下面を挟まれた空間を流れ、温度検知部９を通過し、第２の回路基板部７に孔２３、または第２の回路基板部７の周囲より第１の回路基板部６の下部へ流れ、更に、第１の回路基板部６の周囲を流れ、回路基板カバー１０の排気口１１を介して本体カバー１２の上縁部１７より室内に放出する空気の流れが発生するものである。
【００３５】
つまり、温度検知部９の真上部分の第２の回路基板部７に略横長四角形状の孔２３を設け、この孔２３の長手方向が本体カバー１２の吸込口１６と回路基板カバー１０の連通口１５とを介し回路基板カバー１０内に流れ込む空気の流れと同じ方向であるため、温度検知部９を通過した空気が第２の回路基板部７の孔２３の長手方向に沿って流れ、徐々にこの第２の回路基板部７の孔２３より第１の回路基板部６の下部へ流れることにより、第２の回路基板部７の下部から第１の回路基板部６の下部へ流れをスムーズにすることができる。
【００３６】
なお、温度検知部９の真上部分の第２の回路基板部７に略横長四角形状の孔２３は、温度検知部９から中心方向の略横長四角形状の孔２３の端部である中心側端部までの距離である中心側距離２４は、温度検知部９から外周方向の略横長四角形状の孔２３の端部である外周側端部までの距離である外周側距離２５より長いものである。すなわち、第２の回路基板部７に略横長四角形状の孔２３は、温度検知部９を境に外周方向の孔より中心方向の孔が長いものである。
【００３７】
これにより、温度検知部９を通過した後に、空気が第２の回路基板部７の孔２３の長手方向に沿って流れ、徐々にこの第２の回路基板部７の孔２３より第１の回路基板部６の下部へ流れることにより、温度検知部９を通過した後に第２の回路基板部７の下部から第１の回路基板部６の下部へ流れをスムーズにすることができる。
【００３８】
また、温度検知部９は第２の回路基板部７との距離である温度検知基板距離２６を有したものである。具体的には、温度検知部９を備えた第２の回路基板部７と、回路基板カバー１０の下面である傾斜部２２とによって上下面を挟まれた空間のほぼ中間部分に温度検知部９を設けたものである。
【００３９】
これにより、本体カバー１２の吸込口１６と回路基板カバー１０の連通口１５とを介し回路基板カバー１０内に流れ込んだ空気は、温度検知部９を備えた第２の回路基板部７と、回路基板カバー１０の下面である傾斜部２２とによって上下面を挟まれた空間を流れ、その空間のほぼ中間部分に設けられた温度検知部９を通過する。つまり、温度検知部９を備えた第２の回路基板部７と、回路基板カバー１０の下面である傾斜部２２とによって上下面が上下の案内面となり、温度検知部９への空気の流れを円滑にすることができる。また、発熱部品部８を備えた第１の回路基板部６より、更に離れることにより、第１の回路基板部６の発熱の影響を抑制できる。
【００４０】
また、図７に示すように、本体カバー１２内には、第２の回路基板部７の温度検知部９を囲むように、回路基板カバー１０の連通口１５側が開口した壁部２７を設けたものである。具体的には、壁部２７は、第２の回路基板部７の温度検知部９を囲むように、回路基板カバー１０の連通口１５側が開口した横断面形状がＵ字形状であるものである。すなわち、温度検知部９を備えた第２の回路基板部７と、回路基板カバー１０の下面である傾斜部２２とによって上下面を挟まれた空間に、回路基板カバー１０の下面である傾斜部２２の上面より上方向に延びた回路基板カバー１０の連通口１５側が開口した横断面形状がＵ字形状である壁部２７により、第２の回路基板部７の温度検知部９および第２の回路基板部７の略横長四角形状の孔２３は囲まれている。更に、この横断面形状がＵ字形状である壁部２７の上面は、第２の回路基板部７の下面に接触している。
【００４１】
これにより、本体カバー１２の吸込口１６と回路基板カバー１０の連通口１５とを介し回路基板カバー１０内に流れ込んだ空気は、温度検知部９を備えた第２の回路基板部７と、回路基板カバー１０の下面である傾斜部２２とによって上下面を囲まれ、横断面形状がＵ字形状である壁部２７により左右側面を囲まれた空間を流れるものである。つまり、本体カバー１２の吸込口１６と回路基板カバー１０の連通口１５とを介し回路基板カバー１０内に流れ込んだ空気は、上下左右面を囲まれた空間を流れ、その空間のほぼ中間部分に設けられた温度検知部９を通過し、温度検知部９の真上部分の第２の回路基板部７の孔２３より、第２の回路基板部７の下部から第１の回路基板部６の下部へ流れるので、第２の回路基板部７の下部から第１の回路基板部６の下部へ流れをスムーズにすることができる。
【００４２】
また、壁部２７の横断面形状がＵ字形状である壁部の対向した側壁部には、切り欠き部２８を設けたものである。具体的には、壁部２７の横断面形状がＵ字形状である壁部の対向した、つまり平行に並んだ側壁部で、第２の回路基板部７の温度検知部９と対向した位置に上面が開口した略四角形状に切り欠き部２８を設けたものである。
【００４３】
これにより、本体カバー１２の吸込口１６と回路基板カバー１０の連通口１５とを介し回路基板カバー１０内に流れ込んだ空気は、上下左右面を囲まれた空間を流れ、その空間のほぼ中間部分に設けられた温度検知部９を通過し、温度検知部９の真上部分の第２の回路基板部７の孔２３、および、壁部２７の横断面形状がＵ字形状である壁部の対向した側壁部の切り欠き部２８より、第２の回路基板部７の下部から第１の回路基板部６の下部へ流れるので、第２の回路基板部７の下部から第１の回路基板部６の下部へ流れをスムーズにすることができる。
【産業上の利用可能性】
【００４４】
以上のように本発明は、天井に固定された連結部と、この連結部の下部に電動機を設け、この電動機のローターに水平方向に複数の羽根を備え、前記電動機の下部に第１の回路基板部を設け、この第１の回路基板部の下部に第２の回路基板部を備え、前記第１の回路基板部および前記第２の回路基板部を覆うように前記電動機と所定の距離を有して本体カバーを設け、前記第１の回路基板部には発熱部品部を備え、前記第２の回路基板部の下面に温度検知部を設け、この温度検知部と室内とが連通するように前記本体カバーには吸込口を設けたものである。
【００４５】
すなわち、天井扇風機を運転すると、温度検知部を備えた第２の回路基板部の上部に位置する第１の回路基板部の発熱部品部および電動機が発熱し、この発熱により本体カバー内の空気が暖められ、上昇気流が発生する。この上昇気流により、本体カバーの吸込口から室内の空気を吸込みながら、本体カバー内の空気を本体カバーの上縁部より室内に放出する空気の流れが発生するものである。
【００４６】
そこで、この本体カバーの吸込口から吸い込まれた室内の空気の温度を、温度検知部で温度を検知し、天井扇風機の速調を制御するものである。
【００４７】
これらの結果により、天井扇風機近傍の空気の温度を検知し、天井扇風機の速調を制御するので、室温に応じて天井扇風機の速調を変化させる場合の使用感を向上することが出来る。
【００４８】
したがって、家庭用や事務所用などの、天井扇風機として活用が期待されるものである。
【図面の簡単な説明】
【００４９】
【図１】本発明の実施の形態１の天井扇風機を示す外観図
【図２】同天井扇風機の本体カバーの内部展開図
【図３】同天井扇風機の本体カバーの傾斜俯瞰図
【図４】同天井扇風機の側面図及び部分断面図
【図５】同天井扇風機を示す断面図
【図６】同天井扇風機を示す第２の回路基板部を下から見た拡大図
【図７】同天井扇風機を示す回路基板カバーの傾斜俯瞰図
【符号の説明】
【００５０】
１    天井
２    連結部
３    電動機
４    ローター
５    羽根
６    第１の回路基板部
７    第２の回路基板部
８    発熱部品部
９    温度検知部
１０  回路基板カバー
１１  排気口
１２  本体カバー
１３  電動機本体カバー距離
１４  空間
１５  連通口
１６  吸込口
１７  上縁部
１８  上部外周部
１９  ひねり部
２０  球面部
２１  曲面部
２２  傾斜部
２３  孔
２４  中心側距離
２５  外周側距離
２６  温度検知基板距離
２７  壁部
２８  切り欠き部
【図１】
2010169001.tif 000003
【図２】
2010169001.tif 000004
【図３】
2010169001.tif 000005
【図４】
2010169001.tif 000006
【図５】
2010169001.tif 000007
【図６】
2010169001.tif 000008
【図７】
2010169001.tif 000009